【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
ネットワークを介して接続される複数の外部装置から送信されるデータを受信して処理をする画像形成装置であって、
外部装置を特定する送信元情報を前記画像形成装置に登録されたユーザに対応付けて記憶する記憶手段と、
ユーザが前記画像形成装置に登録されたユーザかどうかを認証するユーザ認証手段と、
前記ユーザ認証手段による認証状態と、前記記憶手段に該ユーザに対応付けられて記憶されている送信元情報とに基づいて、外部装置からのデータ受信処理を切り替えるよう制御する制御手段と、
を有することを特徴とする画像形成装置。
【請求項２】
前記制御手段は、前記記憶手段に前記ユーザ認証手段が認証したユーザに対応付けられて記憶されている送信元情報に基づいて、外部装置からのデータ受信処理を切り替えるよう制御することを特徴とする請求項１に記載の画像形成装置。
【請求項３】
前記記憶手段は更に、前記画像形成装置に登録されたユーザとは無関係に外部装置を特定する送信元情報を記憶し、
前記制御手段は、前記ユーザ認証手段がユーザ認証を行なっていないときには前記記憶手段に記憶された、前記画像形成装置に登録されたユーザとは無関係に外部装置を特定する送信元情報に基づいて外部装置からのデータ受信処理を切り替えるよう制御することを特徴とする請求項１または２のいずれかに記載の画像形成装置。
【請求項４】
前記制御手段は、外部装置からのデータ受信処理の切り替え制御として、外部装置からのデータの受信を許可するか禁止するかを切り替えることを特徴とする請求項１〜３のいずれかに記載の画像形成装置。
【請求項５】
ネットワークを介して接続される複数の外部装置から送信されるデータを受信して処理をする画像形成装置であって、
ユーザを特定する認証情報を読み取るための読取手段と、
前記読取手段から読み取った認証情報に基づいて認証処理を行う認証処理手段と、
前記認証処理手段による認証結果に基づいて、前記画像形成装置の使用要求が認められたユーザを識別するための識別手段と、
受信したデータから、該データの送信元を一意に特定可能な送信元情報を取得する取得手段と、
前記画像形成装置にデータを送信する外部装置の送信元情報を登録するための登録手段と、
前記登録手段により登録された送信元情報を、前記識別手段により識別されたユーザ毎に記憶する記憶手段と、
前記認証処理手段による認証結果に基づいて、前記画像形成装置の使用要求が認められている場合に、前記取得手段により取得された送信元情報が、前記識別手段により識別されるユーザ毎に前記記憶手段に記憶されている送信元情報に含まれているか否かを判定する判定手段と、
前記判定手段の結果に従って、受信されるデータに基づいて処理を実行するか否かを制御する制御手段と、
を備えたことを特徴とする画像形成装置。
【請求項６】
前記送信元情報は、前記受信したデータ中のホスト名情報に基づき、ネットワーク上のサーバから取得可能とすることを特徴とする請求項５に記載の画像形成装置。
【請求項７】
前記登録手段は、処理を実行することが禁止されている外部装置の送信元情報を登録し、
前記記憶手段は、前記識別手段により識別されたユーザ毎に、処理を実行することが禁止されている外部装置の送信元情報を記憶し、
前記取得手段により取得された送信元情報が示す送信元が、前記記憶手段に記憶されている送信元情報に含まれていると判定された場合、該送信元から送信されたデータに基づいて処理を実行しないことを特徴とする請求項５に記載の画像形成装置。
【請求項８】
前記登録手段は、処理を実行することが許可されている外部装置の送信元情報を登録し、
前記記憶手段は、前記識別手段により識別されたユーザ毎に、処理を実行することが許可されている外部装置の送信元情報を記憶し、
前記取得手段により取得された送信元情報が示す送信元が、前記記憶手段に記憶されている送信元情報に含まれていると判定された場合、該送信元から送信されたデータに基づいて処理を実行することを特徴とする請求項５に記載の画像形成装置。
【請求項９】
前記登録手段は、処理を実行することが許可されている外部装置の送信元情報を登録するための許可登録手段と、
処理を実行することが禁止されている外部装置の送信元情報を登録するための禁止登録手段とを有し、
前記記憶手段は、前記識別手段により識別されたユーザ毎に、処理を実行することが許可されている外部装置の送信元情報を記憶する許可記憶手段と、処理を実行することが禁止されている外部装置の送信元情報を記憶する禁止記憶手段とを有し、
前記判定手段は、前記取得手段により取得された送信元情報が、前記許可記憶手段に記憶されている送信元情報に含まれているか否かを判定する許可判定手段と、
前記取得手段により取得された送信元情報が、前記禁止記憶手段に記憶されている送信元情報に含まれているか否かを判定する禁止判定手段とを有し、
前記許可判定手段の結果と前記禁止判定手段の結果に従って、受信されるデータに基づいて処理を実行するか否かを決定することを特徴とする請求項５に記載の画像形成装置。
【請求項１０】
前記許可判定手段による判定に基づいて処理の実行を決定することを行うか否かを設定する第１の設定手段と、
前記禁止判定手段による判定に基づいて処理の実行を決定することを行うか否かを設定する第２の設定手段とを有し、
前記第１の設定手段が前記許可判定手段による判定に基づいて処理の実行を決定することを行なわないように設定した場合、前記許可判定手段による判定は行わず、
前記第２の設定手段が前記禁止判定手段による判定に基づいて処理の実行を決定することを行なわないように設定した場合、前記禁止判定手段による判定は行わないことを特徴とする請求項９に記載の画像形成装置。
【請求項１１】
ネットワークを介して接続される複数の外部装置から送信されるデータを受信して処理をする画像形成装置におけるデータ受信処理方法であって、
外部装置を特定する送信元情報を前記画像形成装置に登録されたユーザに対応付けて記憶する記憶ステップと、
ユーザが前記画像形成装置に登録されたユーザかどうかを認証するユーザ認証ステップと、
前記ユーザ認証ステップでの認証状態と、前記記憶ステップで該ユーザに対応付けられて記憶されている送信元情報とに基づいて、外部装置からのデータ受信処理を切り替えるよう制御する制御ステップと、
を有することを特徴とするデータ受信処理方法。
【請求項１２】
ネットワークを介して接続される複数の外部装置から送信されるデータを受信して処理をする画像形成装置におけるデータ受信処理方法であって、
ユーザを特定する認証情報を読み取るための読取ステップと、
前記読取ステップから読み取った認証情報に基づいて認証処理を行う認証処理ステップと、
前記認証処理ステップによる認証結果に基づいて、前記画像形成装置の使用要求が認められたユーザを識別するための識別ステップと、
受信したデータから、該データの送信元を一意に特定可能な送信元情報を取得する取得ステップと、
前記画像形成装置にデータを送信する外部装置の送信元情報を記憶手段に登録するための登録ステップと、
前記認証処理ステップによる認証結果に基づいて、前記画像形成装置の使用要求が認められている場合に、前記取得ステップにより取得された送信元情報が、前記識別ステップにより識別されるユーザ毎に記憶手段に記憶されている送信元情報に含まれているか否かを判定する判定ステップと、
前記判定ステップの結果に従って、受信されるデータに基づいて処理を実行するか否かを制御する制御ステップと、
備えたことを特徴とするデータ受信処理方法。
【請求項１３】
請求項１１または１２のいずれかに記載のデータ受信処理方法を実行させるためのプログラムを記憶したことを特徴とするコンピュータが読み取り可能な記憶媒体。
【請求項１４】
請求項１１または１２のいずれかに記載のデータ受信処理方法を実行させることを特徴とするプログラム。
【手続補正２】
【補正対象書類名】明細書
【補正対象項目名】００１６
【補正方法】変更
【補正の内容】
【００１６】
本発明は、ネットワークを介して接続される複数の外部装置から送信されるデータを受信して処理をする画像形成装置であって、外部装置を特定する送信元情報を前記画像形成装置に登録されたユーザに対応付けて記憶する記憶手段と、ユーザが前記画像形成装置に登録されたユーザかどうかを認証するユーザ認証手段と、前記ユーザ認証手段による認証状態と、前記記憶手段に該ユーザに対応付けられて記憶されている送信元情報とに基づいて、外部装置からのデータ受信処理を切り替えるよう制御する制御手段とを有することを特徴とする。
【手続補正３】
【補正対象書類名】明細書
【補正対象項目名】００１７
【補正方法】変更
【補正の内容】
【００１７】
ネットワークを介して接続される複数の外部装置から送信されるデータを受信して処理をする画像形成装置におけるデータ受信処理方法であって、外部装置を特定する送信元情報を前記画像形成装置に登録されたユーザに対応付けて記憶する記憶ステップと、ユーザが前記画像形成装置に登録されたユーザかどうかを認証するユーザ認証ステップと、前記ユーザ認証ステップでの認証状態と、前記記憶ステップで該ユーザに対応付けられて記憶されている送信元情報とに基づいて、外部装置からのデータ受信処理を切り替えるよう制御する制御ステップとを有することを特徴とする。